(57)【要約】【課題】紙束の結束作業を簡略化する【解決手段】紙束を紐で十文字に結束するために用いられる結束用具１は、紙束を積載可能な底面板２１を備える紙積台２と、底面板２１を挟んで、底面板２１上に紙が積載される側とは反対側に配置され、紐を引っ掛ける引掛具３とを備える。底面板２１は、新聞を４つ折りにした時のサイズの４分の１程度となるように形成される。さらに、紙束の下面において底面板２１と接していない領域が、紙束の下面において底面板２１と接している領域よりも高くなるように底面板２１は傾けられている。引掛具３は、断面がＪ字状になるように金属板を湾曲させて成形したものであり、湾曲した鉤部３１で紐を引っ掛ける。さらに引掛具３は、湾曲した鉤部３１の内周面が、紙積台２が設置された方向を向くように配置される。【選択図】図１
2013237459.tif 000002
【特許請求の範囲】
【請求項１】
紙束を紐で十文字に結束するために用いられる結束用具であって、
前記紙束を積載可能な紙積載面が形成された積載部と、
前記紙積載面を挟んで、前記紙積載面上に紙が積載される側とは反対側に配置され、前記紐を引っ掛ける引掛部とを備える
ことを特徴とする結束用具。
【発明の詳細な説明】
【技術分野】
【０００１】
本発明は、紙束を紐で十文字に結束するために用いられる結束用具に関する。
【背景技術】
【０００２】
新聞および雑誌などが積み重ねられた紙束を紐で十文字に結束し易くする結束用具として、従来、直方体状または立方体状の紙束の下面の２分の１程度の面積を有する底面板と、上記紙束の両側面の４分の１程度の面積を有する両側面板と、上記紙束の背面の２分の１程度の面積を有する背面板とにより本棚形状に組み付けられた収納部を有するものが知られている（例えば、特許文献１参照）。
【０００３】
これにより、上記紙束を収納部に収納した状態で上記紙束を十文字に結束することができるため、上記紙束の下面に紐を掛け渡すときに上記紙束を持ち上げる必要がなくなり、紙束を十文字に結束する作業の負荷が軽減される。
【先行技術文献】
【特許文献】
【０００４】
【特許文献１】特開２００２−１９１４４９号公報
【発明の概要】
【発明が解決しようとする課題】
【０００５】
しかし、特許文献１に記載の結束用具では、１本の紐の両端を両手で把持したまま、紙束を十文字に結束することが困難であるという問題があった。
本発明は、こうした問題に鑑みてなされたものであり、紙束の結束作業を簡略化することを目的とする。
【課題を解決するための手段】
【０００６】
上記目的を達成するためになされた請求項１に記載の発明は、紙束を紐で十文字に結束するために用いられる結束用具であって、紙を積載可能な紙積載面が形成された積載部と、紙積載面を挟んで、紙積載面上に紙が積載される側とは反対側に配置され、紐を引っ掛ける引掛部とを備えることを特徴とする。但し、紙積載面には、紙積載面より大きい表面積を有する紙を載せる必要がある。さらに、直方体状または立方体状の紙束の面の中央部で紐が十字に交差するようにするには、紙積載面の面積は、紙の表面積の２分の１程度あるいは４分の１程度であることが望ましい。また、紙束の下面において紙積載面と接していない領域があることで、紙積載面上に積載されている紙束が紙積載面から脱落するのを抑制するために、紙束の下面において紙積載面と接していない領域が、紙束の下面において紙積載面と接している領域よりも高くなるように紙積載面を傾けるようにしてもよい。また、紙積載面を傾けることに起因して、紙積載面上に積載されている紙束が紙積載面から滑り落ちてしまうことを阻止するために、紙束の低くなっている側で紙束を支える支持板を配置するようにしてもよい。
【０００７】
このように構成された結束用具では、以下の手順で紙束を紐で十文字に結束することができる。なお、紙積載面上には、直方体状または立方体状の紙束が載せられているとする。そして以下、積載部に載置された紙束において、紙積載面と接している面を下面、下面と対向する面を上面という。また、紙積載面の面積は、紙束の下面の面積の４分の１程度となるように形成されているとする。
【０００８】
まず結束作業者が、積載部の紙積載面に紙束を載せた後に、紐を引掛部に引っ掛ける。そして、引掛部に紐を引っ掛けた状態で、１本の紐の両端を両手で把持したまま、下面から上面へ向かう方向に沿って、下面と上面との間に配置されている４つの側面のうちの１つの面（以下、右面という）上に紐を掛け渡す。なお以下、右面と対向する面を左面という。さらに、右面から左面へ向かう方向に沿って上面上に紐を掛け渡す。このとき、紐を把持する両手のうち、一方の手は、紙束に紐を掛け渡すために動かす必要がある。一方、他方の手は、動かす必要がない。引掛部により、紙積載面の下方で紐が固定されるからである。
【０００９】
その後、引掛部に紐を引っ掛けた状態で、１本の紐の両端を両手で把持したまま、上面から下面へ向かう方向に沿って左面上に紐を掛け渡す。さらに、引掛部に紐を引っ掛けた状態で、紐を両手で把持したまま、左面から右面に向かう方向に沿って、下面の下方において紐を掛け渡す。このとき、紐において下面の下方に位置する部分（以下、第１紐部という）は、紐において引掛部から右面に到るまでの部分（以下、第２紐部という）よりも右面側で第２紐部と接するように掛け渡される。
【００１０】
その後、１本の紐の両端を両手で把持したまま、下面と上面との間に配置されている４つの側面のうち、右面および左面以外の１つの面（以下、正面という）から、正面と対向する面（以下、背面という）に向かう方向に第１紐部が沿うように、下面の下方において紐を掛け渡す。このときに、紐を把持している両手の少なくとも一方で紐を動かすことで、引掛具と紐との係合を解除する。
【００１１】
そして、係合が解除されることにより、第１紐部と第２紐部とが下面上で屈曲して十文字状に交差した状態となる。このため第１紐部は、左面から交差部に到る部分が、左面から右面に向かう方向に沿って下面上に掛け渡されるとともに、交差部から背面に到る部分が、正面から背面に向かう方向に沿って下面上に掛け渡される。また第２紐部は、右面から交差部に到る部分が、右面から左面に向かう方向に沿って下面上に掛け渡されるとともに、交差部から正面に到る部分が、背面から正面に向かう方向に沿って下面上に掛け渡される。
【００１２】
その後、１本の紐の両端を両手で把持したまま、交差部を挟んで第１紐部側の紐を、下面から上面へ向かう方向に沿って背面上に掛け渡し、さらに、交差部を挟んで第２紐部側の紐を、下面から上面へ向かう方向に沿って正面上に掛け渡す。
【００１３】
さらに、１本の紐の両端を両手で把持したまま、交差部を挟んで第１紐部側の紐を、背面から正面に向かう方向に沿って上面上に掛け渡すとともに、交差部を挟んで第２紐部側の紐を、正面から背面に向かう方向に沿って上面上に掛け渡す。そして、紐の一端と他端とを互いに結ぶことにより、紙束が紐で十文字に結束される。
【００１４】
このように、請求項１に記載の結束用具では、１本の紐の両端を両手で把持した状態を維持したまま、紙束を紐で十文字に結束することができる。これは、紙積載面の下方に引掛部が形成されているためである。なぜならば、紙積載面の下方に引掛部が形成されていない場合には、右面、上面、左面、下面の順に紐を掛け渡すために、紐を把持している両手のうちの一方の手を動かすとともに、他方の手は紙積載面の下方で紐を固定するようにして紐を把持する必要があり、さらに、紙積載面の下方で紐を固定する必要がなくなった後に、紙束の上面で紐の両端を結ぶために他方の手を紐の端部に移動させる必要があるからである。
【００１５】
以上より、請求項１に記載の結束用具は、１本の紐の両端を両手で把持した状態を維持したまま、紙束を紐で十文字に結束することができるために、紙束の結束作業を簡略化することができる。
【図面の簡単な説明】
【００１６】
【図１】結束用具１の斜視図である。
【図２】紙束Ｐを紐で十文字に結束する第１手順を示す結束用具１の斜視図である。
【図３】紙束Ｐを紐で十文字に結束する第２手順を示す結束用具１の斜視図である。
【図４】紙束Ｐを紐で十文字に結束する第３手順を示す結束用具１の斜視図である。
【図５】紙束Ｐを紐で十文字に結束する第４手順を示す結束用具１の斜視図である。
【図６】紙束Ｐを紐で十文字に結束する第５手順を示す結束用具１の斜視図である。
【図７】紙束Ｐを紐で十文字に結束する第６手順を示す結束用具１の斜視図である。
【発明を実施するための形態】
【００１７】
以下に本発明の実施形態について図面とともに説明する。
結束用具１は、積載された紙束（新聞および雑誌など）を紐で十文字に結束するために用いられる。
【００１８】
結束用具１は、図１に示すように、紙を積み重ねる紙積台２と、紙束を結束するときに紐を引っ掛けるための引掛具３と、紙積台２および引掛具３を支持する支持板４とを備えている。
【００１９】
これらのうち紙積台２は、底面板２１と側面板２２，２３と支持台２４とカッター２５とを備えている。
まず底面板２１は、紙を積載するための底面を構成し、矩形状に形成されている。そして底面板２１は、新聞を４つ折りにした時のサイズの４分の１程度となるように形成されている。すなわち、新聞を４つ折りにした時の長辺および短辺の長さをそれぞれＬ１およびＬ２とすると、底面板２１の長辺および短辺の長さは、それぞれ（Ｌ１／２）および（Ｌ２／２）程度となる。
【００２０】
また側面板２２は、底面板２１の矩形を構成する４辺の端縁部２１１，２１２，２１３，２１４のうち端縁部２１１に立設されている。また側面板２３は、端縁部２１１と直交する端縁部２１２に立設されている。
【００２１】
そして支持台２４は、支持板４上に設けられており、端縁部２１１と端縁部２１２との交点に形成される角部Ｃ１が、端縁部２１３と端縁部２１４との交点に形成される角部Ｃ２よりも低くなるように底面板２１を傾けた状態で底面板２１を支持する。これにより、紙束の下面において底面板２１と接していない領域があることで、底面板２１上に積載されている紙束が底面板２１から脱落してしまうのを抑制することができる。また、底面板２１を傾けることに起因して、底面板２１上に積載されている紙束が底面板２１から滑り落ちてしまうのを側面板２２，２３によりを阻止する。
【００２２】
さらにカッター２５は、紐を切断するための刃であり、側面板２２の上部に取り付けられている。
次に引掛具３は、断面がＪ字状になるように金属板を湾曲させて成形したものであり、湾曲した鉤部３１で紐を引っ掛ける。そして引掛具３は、支持板４上において、底面板２１を挟んで側面板２２，２３が配置されている側とは反対側に設けられている。さらに引掛具３は、湾曲した鉤部３１の内周面が、紙積台２が設置された方向を向くように配置される。
【００２３】
このように構成された結束用具１を用いて、積載された紙束を紐で十文字に結束する手順を図２〜図７を用いて説明する。なお、図２〜図７において、（ａ）は結束用具１を下方から見た斜視図であり、（ｂ）は結束用具１を上方から見た斜視図である。
【００２４】
まず図２に示すように、直方体状に紙が積載された紙束Ｐを紙積台２に載せた後に、１本の紐Ｓの両端を両手で把持し、紐Ｓのほぼ中央部を引掛具３の鉤部３１に引っ掛ける。なお以下、紙積台２に載置された紙束Ｐにおいて、底面板２１と接している面を下面Ｐ１、下面Ｐ１と対向する面を上面Ｐ２、側面板２２と接している面を左面Ｐ３、左面Ｐ３と対向する面を右面Ｐ４、側面板２３と接している面を背面Ｐ５、背面Ｐ５と対向する面を正面Ｐ６という。
【００２５】
そして、図３に示すように、鉤部３１に紐Ｓを引っ掛けた状態で、紐Ｓの両端を両手で把持したまま、下面Ｐ１から上面Ｐ２へ向かう方向に沿って右面Ｐ４上に紐Ｓを掛け渡し、さらに、右面Ｐ４から左面Ｐ３へ向かう方向に沿って上面Ｐ２上に紐Ｓを掛け渡す。このとき紐Ｓは、背面Ｐ５から正面Ｐ６に向かう方向に沿って右面Ｐ４および上面Ｐ２をそれぞれ二等分するように配置される。
【００２６】
その後、図４に示すように、鉤部３１に紐Ｓを引っ掛けた状態で、紐Ｓの両端を両手で把持したまま、上面Ｐ２から下面Ｐ１へ向かう方向に沿って左面Ｐ３上に紐Ｓを掛け渡す。このとき紐Ｓは、背面Ｐ５から正面Ｐ６に向かう方向に沿って左面Ｐ３をそれぞれ二等分するように配置される。
【００２７】
さらに、鉤部３１に紐Ｓを引っ掛けた状態で、紐Ｓの両端を両手で把持したまま、左面Ｐ３から右面Ｐ４に向かう方向に沿って、下面Ｐ１の下方において紐Ｓを掛け渡す。このとき、紐Ｓにおいて下面Ｐ１の下方に位置する部分Ｓ１（以下、第１紐部Ｓ１という）は、紐Ｓにおいて鉤部３１から右面Ｐ４に到るまでの部分Ｓ２（以下、第２紐部Ｓ２という）よりも右面Ｐ４側で第２紐部Ｓ２と接するように掛け渡される（図４（ａ）の指示Ｉ１を参照）。
【００２８】
その後、紐Ｓの両端を両手で把持したまま、図５に示すように、正面Ｐ６から背面Ｐ５に向かう方向に第１紐部Ｓ１が沿うように、下面Ｐ１の下方において紐Ｓを掛け渡す。このときに、正面Ｐ６から背面Ｐ５に向かう方向に第１紐部Ｓ１が第２紐部Ｓ２を押す力がかかり、図６に示すように、引掛具３の鉤部３１と紐Ｓとの係合が解除される。
【００２９】
そして、係合が解除されることにより、第１紐部Ｓ１と第２紐部Ｓ２とが下面Ｐ１の中央部Ｍで屈曲して十文字状に交差した状態となる。このため第１紐部Ｓ１は、左面Ｐ３から中央部Ｍに到る部分が、左面Ｐ３から右面Ｐ４に向かう方向に沿って下面Ｐ１上に掛け渡されるとともに、中央部Ｍから背面Ｐ５に到る部分が、正面Ｐ６から背面Ｐ５に向かう方向に沿って下面Ｐ１上に掛け渡される。また第２紐部Ｓ２は、右面Ｐ４から中央部Ｍに到る部分が、右面Ｐ４から左面Ｐ３に向かう方向に沿って下面Ｐ１上に掛け渡されるとともに、中央部Ｍから正面Ｐ６に到る部分が、背面Ｐ５から正面Ｐ６に向かう方向に沿って下面Ｐ１上に掛け渡される。
【００３０】
その後、紐Ｓの両端を両手で把持したまま、図７に示すように、中央部Ｍを挟んで第１紐部Ｓ１側の紐Ｓを、下面Ｐ１から上面Ｐ２へ向かう方向に沿って背面Ｐ５上に掛け渡し、さらに、中央部Ｍを挟んで第２紐部Ｓ２側の紐Ｓを、下面Ｐ１から上面Ｐ２へ向かう方向に沿って正面Ｐ６上に掛け渡す。このとき紐Ｓは、左面Ｐ３から右面Ｐ４に向かう方向に沿って背面Ｐ５および正面Ｐ６をそれぞれ二等分するように配置される。
【００３１】
さらに、紐Ｓの両端を両手で把持したまま、中央部Ｍを挟んで第１紐部Ｓ１側の紐Ｓを、背面Ｐ５から正面Ｐ６に向かう方向に沿って上面Ｐ２上に掛け渡すとともに、中央部Ｍを挟んで第２紐部Ｓ２側の紐Ｓを、正面Ｐ６から背面Ｐ５に向かう方向に沿って上面Ｐ２上に掛け渡す。なお、紐Ｓが長い場合には、紐Ｓをカッター２５に押し当てることにより紐Ｓを切断し、紐Ｓを適切な長さに調整することができる。そして、紐Ｓの一端と他端とを互いに結ぶことにより、紙束Ｐが紐Ｓで十文字に結束される。
【００３２】
このように、結束用具１では、１本の紐Ｓの両端を両手で把持した状態を維持したまま、紙束Ｐを紐Ｓで十文字に結束することができる。これは、底面板２１の下方に引掛具３が形成されているためである。なぜならば、底面板２１の下方に引掛部が形成されていない場合には、右面Ｐ４、上面Ｐ２、左面Ｐ３、下面Ｐ１の順に紐Ｓを掛け渡すために、紐Ｓを把持している両手のうちの一方の手を動かすとともに、他方の手は底面板２１の下方で紐Ｓを固定するようにして紐Ｓを把持する必要があり、さらに、底面板２１の下方で紐Ｓを固定する必要がなくなった後に、紙束Ｐの上面Ｐ２で紐Ｓの両端を結ぶために他方の手を紐Ｓの端部に移動させる必要があるからである。
【００３３】
以上より、結束用具１は、１本の紐Ｓの両端を両手で把持した状態を維持したまま、紙束Ｐを紐Ｓで十文字に結束することができるために、紙束の結束作業を簡略化することができる。
【００３４】
また、引掛具３は、湾曲した鉤部３１の内周面が、紙積台２が設置された方向を向くように配置されているため、図５に示すように、正面Ｐ６から背面Ｐ５に向かう方向に第１紐部Ｓ１が沿うように、下面Ｐ１の下方において紐Ｓを掛け渡すときに、正面Ｐ６から背面Ｐ５に向かう方向に第１紐部Ｓ１が第２紐部Ｓ２を押す力がかかり、図６に示すように、引掛具３の鉤部３１と紐Ｓとの係合が解除される。これにより、鉤部３１と紐Ｓとの係合を解除するための特別な動作を行う必要がないため、紙束の結束作業を更に簡略化することができる。
【００３５】
以上説明した実施形態において、底面板２１は本発明における紙積載面、紙積台２は本発明における積載部、引掛具３は本発明における引掛部である。
以上、本発明の一実施形態について説明したが、本発明は上記実施形態に限定されるものではなく、本発明の技術的範囲に属する限り種々の形態を採ることができる。
【００３６】
例えば上記実施形態では、新聞を４つ折りにした時のサイズの４分の１程度となるように底面板２１が形成されているものを示したが、特許文献１に記載のように紙束の下面の２分の１程度の面積を有する底面板を備えた結束用具に、引掛具３を適用するようにしてもよい。
【００３７】
また上記実施形態では、湾曲した鉤部３１の内周面が、紙積台２が設置された方向を向くように配置されているものを示したが、鉤部３１の内周面が紙積台２が設置された側を向いていないように配置してもよい。但し、この場合には、鉤部３１と紐Ｓとの係合を解除するために紐Ｓを動かすための動作を行う必要がある。
【符号の説明】
【００３８】
１…結束用具、２…紙積台、３…引掛具、４…支持板、２１…底面板、２２…側面板、２３…側面板、２４…支持台、２５…カッター、３１…鉤部
【図１】
2013237459.tif 000003
【図２】
2013237459.tif 000004
【図３】
2013237459.tif 000005
【図４】
2013237459.tif 000006
【図５】
2013237459.tif 000007
【図６】
2013237459.tif 000008
【図７】
2013237459.tif 000009